(57)【要約】  【課題】演出ボタン装置において、ボタンケースに演出ボタンを進退可能に収容して演出ボタンを保護するとともに、演出ボタンの外周部とボタンケースの周壁との間に異物が侵入した場合、その異物をボタンケースの外部へ排出して、その異物が演出ボタンの正常な進退動作を阻害するのを確実に抑制することができる、遊技機を提供する。  【解決手段】演出ボタン装置９は、演出ボタン４０を進退可能に収容する周壁５０ａと底壁５０ｂとを有するボタンケース５０を備え、演出ボタン４０の外周部とボタンケース５０の周壁５０ａとの間の異物を、ボタンケース５０の外部へ排出する複数の排出口５１〜５３がボタンケース５０に設けられている。これら複数の排出口５１〜５３は、演出ボタン４０が進退される際に演出ボタン４０とボタンケース５０とで囲まれた空間の呼吸口として兼用される。【選択図】  図１４
2015037450.tif 000002
【特許請求の範囲】
【請求項１】
遊技者が押下操作可能な演出ボタンを有する演出ボタン装置を備えた遊技機において、
前記演出ボタン装置は、前記演出ボタンを進退可能に収容する周壁と底壁とを有するボタンケースを備え、
前記演出ボタンの外周部と前記ボタンケースの前記周壁との間の異物を、前記ボタンケースの外部へ排出する排出口を前記ボタンケースに設けたことを特徴とする遊技機。
【請求項２】
前記排出口は、前記演出ボタンが進退される際に前記演出ボタンとボタンケースとで囲まれた空間の呼吸口として兼用されることを特徴とする請求項１に記載の遊技機。
【請求項３】
前記ボタンケースの前記底壁が前方下がり傾斜状に設けられ、
前記排出口が前記ボタンケースの前記周壁の前端の下端部に形成されたことを特徴とする請求項１又は２に記載の遊技機。
【請求項４】
前記演出ボタン装置は、前記演出ボタンを所定の通常操作位置とこの通常操作位置よりも外部へ突出した突出操作位置とに亙って進退させるボタン進退機構を備えたことを特徴とする請求項１〜３の何れか１項に記載の遊技機。
【発明の詳細な説明】
【技術分野】
【０００１】
本発明は遊技機に関し、特に、演出ボタン装置の内部に侵入した液体等の異物を排出する為の技術に関する。
【背景技術】
【０００２】
従来より、パチンコ遊技機には、遊技盤が装着された枠体と、この枠体に開閉自在に支持されて閉位置で遊技盤の盤面をカバーする透明板を有する開閉体とが設けられ、この開閉体の下部（透明板の下側）に遊技球を貯留する貯留皿を有する皿ユニットが設けられている。近年主流のパチンコ遊技機では、遊技者が押下操作可能な演出ボタンを有する演出ボタン装置が皿ユニットに装備されている（例えば、特許文献１，２参照）。演出ボタン装置は、演出ボタンを進出方向へ付勢するバネを備え、一般に、演出ボタンを皿ユニットの上面側から押下操作可能に配設されている。
【０００３】
この演出ボタン装置では、演出ボタンが皿ユニットの上端部分に形成されたボタン孔に進退可能に嵌合されて、皿ユニットから上方へ突出した所定の通常操作位置に保持され、この演出ボタンが通常操作位置から押下位置へ押下操作され、操作解除されると、再度、通常操作位置に復帰して保持される。ボタン操作有効期間において、演出ボタンが押下操作されると、その押下操作が検知されて特有の遊技演出が実行される。こうして、遊技者の遊技参加感と共に遊技の演出効果が高められる。
【０００４】
ここで、本願出願人は、演出ボタン装置において、遊技の演出効果を一層高めるために、演出ボタンを大型にしたり演出ボタンの進退ストロークを長くしたりして、演出ボタン装置を大型化し、演出ボタンを通常操作位置とこの通常操作位置よりも外部へ突出した突出操作位置とに亙って進退させ、この演出ボタンを進退可能に収容する周壁を有するボタンケースを備えたものを実用化しつつある。
【０００５】
特許文献１の演出ボタン装置では、演出ボタンが通常操作位置と押下位置とに亙って進退され、演出ボタンの保持位置が通常操作位置と押下位置の何れかに択一的に切換えられる。特許文献２の演出ボタン装置では、演出ボタンが通常操作位置及び押下位置と通常操作位置よりも外部へ突出した突出操作位置とに亙って進退され、演出ボタンの保持位置が通常操作位置と突出操作位置の何れかに択一的に切換えられる。
【先行技術文献】
【特許文献】
【０００６】
【特許文献１】特許第３９８９２８７号公報
【特許文献２】特開２００９−５６０８５号公報
【発明の概要】
【発明が解決しようとする課題】
【０００７】
演出ボタン装置を備えた遊技機では、演出ボタンの外周部と、この演出ボタンが進退可能に嵌合される皿ユニット等に形成されたボタン孔の周壁との間に隙間が生じるため、その隙間に液体等の異物が侵入する場合がある。例えば、遊技者が飲料水を演出ボタンやその周辺に溢す等して、異物となる液体が前記隙間に侵入する場合があり、この液体等の異物が演出ボタンの正常な進退動作を阻害する虞がある。また、この異物となる液体は駆動系機器に付着して不良を発生させる原因にもなり兼ねない。
【０００８】
本願出願人が実用化しつつある前記演出ボタン装置のように、演出ボタンを進退可能に収容する周壁を有するボタンケースを備えた演出ボタン装置では、演出ボタンの外周部とボタンケースの周壁との間に液体等の異物が侵入する場合があるが、その異物が演出ボタンの正常な進退動作を阻害する虞が一層高くなり、異物がボタンケースの内部に滞在し続けることは非常に深刻である。また、演出ボタン及びボタンケースの基端側に駆動系機器が配置されている場合、その駆動系機器に異物となる液体が付着する虞が高くなり、その駆動系機器に不良を発生させる原因になる。
【０００９】
本発明の目的は、ボタンケースに演出ボタンを進退可能に収容して演出ボタンを保護するとともに、演出ボタンの外周部とボタンケースの周壁との間に異物が侵入した場合、その異物をボタンケースの外部へ排出して、その異物が演出ボタンの正常な進退動作を阻害するのを確実に抑制することができる、遊技機を提供することである。
【課題を解決するための手段】
【００１０】
第１の発明（遊技機）は、遊技者が押下操作可能な演出ボタン(40)を有する演出ボタン装置(9) を備えた遊技機(1) において、前記演出ボタン装置(9) は、前記演出ボタン(40)を進退可能に収容する周壁(50a) と底壁(50b) とを有するボタンケース(50)を備え、前記演出ボタン(40)の外周部と前記ボタンケース(50)の前記周壁(50a) との間の異物を、前記ボタンケース(50)の外部へ排出する排出口(51,52,53)を前記ボタンケース(50)に設けたことを特徴とする。
【００１１】
第２の発明は、第１の発明において、前記排出口(51,52,53)は、前記演出ボタン(40)が進退される際に前記演出ボタン(40)とボタンケース(50)とで囲まれた空間の呼吸口として兼用されることを特徴とする。
【００１２】
第３の発明は、第１又は第２の発明において、前記ボタンケース(50)の前記底壁(50b) が前方下がり傾斜状に設けられ、前記排出口(51)が前記ボタンケース(50)の前記周壁(50a) の前端の下端部に形成されたことを特徴とする。
【００１３】
第４の発明は、第１〜第３の何れか１つの発明において、前記演出ボタン装置(9) は、前記演出ボタン(40)を所定の通常操作位置とこの通常操作位置よりも外部へ突出した突出操作位置とに亙って進退させるボタン進退機構(60)を備えたことを特徴とする。
【発明の効果】
【００１４】
本発明（遊技機）によれば、演出ボタン装置において、ボタンケースに演出ボタンを進退可能に収容して演出ボタンを保護するとともに、演出ボタンの外周部とボタンケースの周壁との間に異物が侵入した場合、その異物をボタンケースの外部へ排出して、その異物が演出ボタンの正常な進退動作を阻害するのを確実に抑制することができる。
【図面の簡単な説明】
【００１５】
【図１】実施例に係るパチンコ遊技機の正面図である。
【図２】パチンコ遊技機の制御系のブロック図である。
【図３】演出ボタンが通常操作位置にある状態の皿ユニットの斜視図である。
【図４】演出ボタンが押下位置にある状態の皿ユニットの斜視図である。
【図５】演出ボタンが突出操作位置にある状態の皿ユニットの斜視図である。
【図６】皿ユニットの底面図である。
【図７】演出ボタン装置を省略した皿ユニットの斜視図である。
【図８】皿ユニットのユニット本体の一部の斜視図である。
【図９】ユニット本体の一部の正面図である。
【図１０】ユニット本体の一部の平面図である。
【図１１】ユニット本体の一部の底面図である。
【図１２】演出ボタン装置と基台と排出装置の斜視図である。
【図１３】演出ボタン装置と基台と排出装置の左側面図である。
【図１４】演出ボタン装置と上部基台の斜視図である。
【図１５】演出ボタン装置と上部基台の左側面図である。
【図１６】ボタン本体とボタンカバーとボタンケースの側壁の分解斜視図である。
【図１７】演出ボタンやボタンケース等の一部を省略した演出ボタン装置と上部基台の主要部の斜視図である。
【図１８】演出ボタン装置と上部基台の主要部の平面図である。
【図１９】演出ボタン装置と上部基台の主要部の正面図である。
【図２０】演出ボタン装置と上部基台の主要部の後面図である。
【図２１】演出ボタン装置と上部基台の主要部の左側面図である。
【図２２】軸状部材と回動駆動機構の斜視図である。
【図２３】可動環状部材の平面図である。
【図２４】排出装置の斜視図である。
【図２５】排出装置の平面図である。
【図２６】ケース部材の一部を省略した排出装置の分解斜視図である。
【発明を実施するための形態】
【００１６】
以下、発明を実施するための形態について実施例に基づいて説明する。
【実施例】
【００１７】
図１に示すように、パチンコ遊技機１には、遊技ホールの島構造体に取付けられる外枠２に開閉枠３（内枠３）が開閉可能に装着され、この開閉枠３に開閉扉４が開閉可能に装着されている。開閉扉４に窓４ａが形成され、その窓４ａに透明板４ｂが装着されている。開閉枠３に遊技球が打出される盤面を有する遊技盤５が装着され、この遊技盤５の盤面とその前側の透明板４ｂとの間に遊技球が流下可能な遊技領域５ａが形成されている。尚、外枠２及び開閉枠３、又は開閉枠３が枠体に相当し、開閉扉４が開閉体に相当する。
【００１８】
外枠２の左端部に開閉枠３の左端部が鉛直軸心回りに回動自在に支持され、開閉枠３は外枠２に対して閉じられた閉位置で外枠２に施錠される。開閉枠３の左端部に開閉扉４の左端部が鉛直軸心回りに回動自在に支持され、開閉扉４は開閉枠３に対して閉じられた閉位置で開閉枠３に施錠され遊技盤５の盤面（遊技領域５ａ）をカバーする。開閉扉４の右端下部に、開閉枠３を外枠２から施錠解除し、また開閉扉４を開閉枠３から施錠解除する為にキー操作されるキーシリンダ４ｃが装着されている。
【００１９】
開閉扉４の上部に左右１対の発光装置６（可動演出装置６）が装備されている。開閉扉４の下部（窓４ａの下側部分）に遊技球を貯留する貯留皿８（上皿８ａと下皿８ｂ）を有する皿ユニット７が設けられ、その皿ユニット７に、遊技者が押下操作可能な演出ボタン４０を有する演出ボタン装置９と、下皿８ｂに貯留された遊技球を遊技機外部へ排出する排出装置１０とが装備されている。
【００２０】
皿ユニット７の右下側に発射ハンドル１１が配設され、この発射ハンドル１１が回動操作されると、上皿８ａから球送り装置（図示略）により発射位置に導入された遊技球が発射装置（図示略）により発射される。上皿８ａに複数の遊技球が貯留されている場合、複数の遊技球が約０．６秒間隔で連続的に発射される。発射された遊技球はガイドレール１１ａにより案内され遊技領域５ａの上部に導入される。
【００２１】
図１、図２に示すように、遊技盤５の遊技領域５ａに、多数の障害釘１２の他、第１始動口１３、開閉式の第２始動口１４ａを有する第２始動口装置１４、１対のゲート１５、開閉式の第１大入賞口１６ａを有する第１大入賞口装置１６、開閉式の第２大入賞口１７ａを有する第２大入賞口装置１７、複数（４つ）の一般入賞口１８が、夫々遊技球が入賞（通過）可能に図示の配置で設けられている。
【００２２】
第１始動口１３、１対のゲート１５、複数の一般入賞口１８に、夫々、そこに入賞した遊技球を検出する第１始動口ＳＷ１３ａ、１対のゲートＳＷ１５ａ、複数の一般入賞口ＳＷ１８ａ（「ＳＷ」はスイッチを意味する）が付設されている。第２始動口装置１４は、第２始動口１４ａ、第２始動口１４ａを開閉する開閉部材１４ｂ、第２始動口１４ａに入賞した遊技球を検出する第２始動口ＳＷ１４ｃ、開閉部材１４ｂを開閉駆動する第２始動口ＳＯＬ１４ｄ（「ＳＯＬ」はソレノイドアクチュエータを意味する）を有する。
【００２３】
第１，第２大入賞口装置１６，１７は、夫々、第１，第２大入賞口１６ａ，１７ａ、第１，第２大入賞口１６ａ，１７ａを開閉する第１，第２開閉部材１６ｂ，１７ｂ、第１，第２大入賞口１６ａ，１７ａに入賞した遊技球を検出する第１，第２大入賞口ＳＷ１６ｃ，１７ｃ、第１，第２開閉部材１６ｂ，１７ｂを開閉駆動する第１，第２大入賞口ＳＯＬ１６ｄ，１７ｄを有する。遊技球が入賞口１３，１４ａ，１６ａ，１７ａ，１８の何れかに入賞した場合、遊技球１個の入賞につき入賞口１３，１４ａ，１６ａ，１７ａ，１８毎に設定された数の遊技球が貯留皿８に払出される。
【００２４】
遊技球が始動口１３，１４ａの何れかに入賞したことを契機に大当り抽選が行われ、その大当り抽選で当選した場合、第１，第２大入賞口装置１６，１７の何れかが作動して、通常は閉塞の第１，第２大入賞口１６ａ，１７ａの何れかを開放する大当り遊技を発生させる。遊技球が１対のゲート１５の何れかを通過したことを契機に当り抽選が行われ、その当り抽選で当選した場合、第２始動口装置１４が作動して、通常は閉塞の第２始動口１４ａを開放する補助遊技を発生させる。
【００２５】
遊技盤５にセンタ役物２０が取付けられ、このセンタ役物２０に画像表示器２１と可動役物装置２２が装備されている。画像表示器２１はその画面がセンタ役物２０の枠体内側から前方へ臨むように配置され、この画像表示器２１に大当り抽選を演出する遊技演出等が表示される。可動役物装置２２は、大当り抽選に関する報知（大当り抽選の当選期待度が高い旨等の報知等）を行うために作動して、例えば、可動役物２２ａを画像表示器２１の画面近傍位置において遊技盤５の盤面と平行な方向へ移動させる。
【００２６】
遊技盤５の左下部に遊技表示盤２３が装備され、この遊技表示盤２３に、第１特図表示器２３ａ、第２特図表示器２３ｂ、普図表示器２３ｃ、第１特図保留ランプ２３ｄ、第２特図保留ランプ２３ｅ、普図保留ランプ２３ｆが設けられている。
【００２７】
第１特図表示器２３ａに第１特別図柄が変動可能に表示され、第１特図保留ランプ２３ｄに第１特図保留数が表示され、その第１特図保留数は４未満の場合に第１始動口１３に遊技球が入賞する毎に１加算される。第２特図表示器２３ｂに第２特別図柄が変動可能に表示され、第２特図保留ランプ２３ｅに第２特図保留数が表示され、その第２特図保留数は４未満の場合に第２始動口１４ａに遊技球が入賞する毎に１加算される。
【００２８】
第１，第２特別図柄が変動停止状態で、第１特図保留数が１以上の場合、第２特図保留数が０の場合には、第１特図保留数が１減算されて第１特別図柄が変動開始され、その後の停止図柄で大当り抽選の結果が表示される。第１，第２特別図柄が変動停止状態で、第２特図保留数が１以上の場合、第１特図保留数に関わらず、第２特図保留数が１減算されて第２特別図柄が変動開始され、その後の停止図柄で大当り抽選の結果が表示される。
【００２９】
普図表示器２３ｃに普通図柄が変動可能に表示され、普図保留ランプ２３ｆに普図保留数が表示され、その普図保留数は４未満の場合にゲート１５を遊技球が通過する毎に１加算される。普通図柄が変動停止状態で、普図保留数が１以上の場合、普図保留数が１減算されて普通図柄が変動開始され、その後の停止図柄で当り抽選の結果が表示される。
【００３０】
図２に示すように、パチンコ遊技機１の制御装置３０は、遊技制御基板３１、払出制御基板３２、演出制御基板３３、画像制御基板３４、ランプ制御基板３５を備え、これら制御基板３１〜３５に夫々ＣＰＵとＲＯＭとＲＡＭを含むコンピュータを備えて構成され、更に演出制御基板３３にはＲＴＣ（「ＲＴＣ」はリアルタイムクロックを意味する）を備えて構成されている。
【００３１】
遊技制御基板３１のコンピュータは、始動口ＳＷ１３ａ，１４ｃ、ゲートＳＷ１５ａ、大入賞口ＳＷ１６ｃ，１７ｃ、一般入賞口ＳＷ１８ａからの検出信号、払出制御基板３２からの制御情報を受けて、始動口ＳＯＬ１４ｄ、大入賞口ＳＯＬ１６ｄ，１７ｄ、図柄表示器２３ａ〜２３ｃ、図柄保留ランプ２３ｄ〜２３ｆを制御し、払出制御基板３２、演出制御基板３３に制御情報を出力する。
【００３２】
払出制御基板３２のコンピュータは、遊技制御基板３１からの制御情報、払出球検出ＳＷ３６ｂ、球有り検出ＳＷ３６ｃ、満タン検出ＳＷ３６ｂからの検出信号を受けて、払出装置の払出モータ３６ａを制御し、遊技制御基板３１に制御情報を出力する。演出制御基板３３のコンピュータは、遊技制御基板３１、画像制御基板３４、ランプ制御基板３５からの制御情報、演出ボタン装置９からの検出信号を受けて、演出ボタン装置９を制御し、画像制御基板３４、ランプ制御基板３５に制御情報を出力する。
【００３３】
画像制御基板３４のコンピュータは、演出制御基板３３からの制御情報を受けて、画像表示器２１、スピーカ３７を制御し、演出制御基板３３に制御情報を出力する。ランプ制御基板３５のコンピュータは、演出制御基板２３からの制御情報、１対の発光装置６、可動役物装置２２からの検出信号を受けて、１対の発光装置６、可動役物装置２２、枠ランプ３８ａ、盤ランプ３８ｂを制御し、演出制御基板３３に制御情報を出力する。
【００３４】
演出制御基板３３、画像制御基板３４、及びランプ制御基板３５のコンピュータにより、演出用機器である画像表示器２１、スピーカ３７、演出ボタン装置９、１対の発光装置６、可動役物装置２２、枠ランプ３８ａ、及び盤ランプ３８ｂが制御され、これら演出用機器により、遊技球による遊技の進行に応じて当該遊技に伴う演出が行われる。
【００３５】
皿ユニット７と、皿ユニット７に装備された演出ボタン装置９及び排出装置１０について詳しく説明する。
【００３６】
先ず、皿ユニット７について説明する。
図１、図３〜図１１に示すように、皿ユニット７は、その上下方向の厚さが比較的大きく開閉扉４の本体下部（窓４ａの下側部分）の上下長と略同程度あり、その開閉扉４の本体下部から前方へ平面視にて山形に膨出するように形成されている。皿ユニット７は、その外形を形成する合成樹脂製のユニット本体７ａを主体に構成され、このユニット本体７ａの上部に上皿８ａが形成され、ユニット本体７ａの左下部に下皿８ｂが形成されている。開閉枠３に装着された前記払出装置により払出された遊技球は、開閉枠３に設けられた払出通路（図示略）により上皿８ａに導かれ貯留され、上皿８ａが遊技球で満杯になると下皿８ｂに導かれ貯留される。
【００３７】
上皿８ａの中央付近において上皿８ａの前側壁が右方ほど後方へ位置するように傾斜して上皿８ａの前後幅が小さくなり、上皿８ａの主要底部は右下がりに緩やかに傾斜し、遊技球は上皿８ａの右端部から前記球送り装置に導入される。下皿８ｂの前側壁は右方ほど前方へ膨出し、下皿８ｂの底部は右下がり且つ前下りに緩やかに傾斜し、遊技球は下皿８ｂの前右部から排出装置１０により導かれその下方へ落下して遊技機外部へ排出される。排出装置１０の下方に所謂ドル箱の球収容ケース（図示略）が配置され、その球収容ケースに排出装置１０により排出された遊技球は受止められ収容される。
【００３８】
下皿８ｂに貯留された遊技球については、排出装置１０により外部へ排出しないで、上皿８ａに補給することがある。この場合、特に遊技者が右手で発射ハンドル１１を握った状態では、左手で下皿８ｂに貯留された遊技球が掴み出される。その際、下皿８ｂの前側壁の前記形状や遊技者が遊技球を掴み出す要領等が関係して、遊技球が下皿８ｂの右部上側からその前方へ溢れ落ちる虞がある。そこで、これを防止するために、下皿８ｂの右部上側とその前方とを仕切る合成樹脂製の透明板８ｃ（図１参照）が設けられている。
【００３９】
この透明板８ｃは全体的に前方へ多少凸となるように湾曲し、透明板８ｃの上端縁は右方ほど傾きが大きくなって高さが高くなるように湾曲している。この透明板８ｃの下端縁が下皿８ｂの前側壁に固着され、透明板８ｃの右端縁がユニット本体７ａのうち下皿８ｂの上方空間の右側壁となる部分に固着されている。遊技者は透明板８ｂの後側に位置する遊技球を視認することができ、透明板８ｃがその上端縁の前記形状により遊技球を掴み出す左手の障害になることもないため、この透明板８ｂにより遊技者は下皿８ｂから遊技球を落下させずに確実に掴み出すことが可能になる。
【００４０】
演出ボタン装置９と排出装置１０は皿ユニット７の中央部分に組込まれ、演出ボタン装置９は演出ボタン４０を皿ユニット７の上面側から押下操作可能に配設され、排出装置１０は皿ユニット７の下端部分において下皿８ｂの右方且つ演出ボタン装置９の下方に配設されている。排出装置１０は皿ユニット７（ユニット本体７ａ）の下端部に形成された装置取付枠部７ｂ（図８〜図１１参照）に固定され、演出ボタン装置９は排出装置１０に載置支持され固定されている（図１２、図１３参照）。
【００４１】
図３〜図７に示すように、演出ボタン装置９と排出装置１０とを皿ユニット７に組込むために、ユニット本体７ａに、その上端部分にボタン孔７ｃが形成されるとともに、このボタン孔７ｃを含む装置収容孔７ｄが上下貫通状に形成され、この装置収容孔７ｄの下端外周近傍部に装置取付枠部７ｂが形成されている。上皿８ａの前後幅が変化する中央付近の前側壁により、ユニット本体７ａのボタン孔７ｃの上部外側周壁７ｃ１の後部一部が形成されている。
【００４２】
図８〜図１１に示すように、装置取付枠部７ｂに前方開の平面視門形の補強用金属プレート３９が取付けられ、排出装置１０は補強用金属プレート３９を介してユニット本体７ａの装置取付枠部７ｂに固定されている。装置取付枠部７ｂの左右両側部に１対の前後方向に長いプレート支持部７ｂ１，７ｂ２が形成され、補強用金属プレート３９の一部となる前後方向に長い左右１対のプレート片３９ａ，３９ｂが、夫々１対のプレート支持部７ｂ１，７ｂ２に面接触状に載置状に取付けられている。補強用金属プレート３９に複数（５つ）のナット部材３９ｃが下方突出状に固着され、排出装置１０は複数のナット部材３９ｃに螺合された複数（５つ）のボルト（図示略）により補強用金属プレート３９に締結されて取付けられている。
【００４３】
尚、補強用金属プレート３９の代わりに複数の補強用金属プレートを設け、これら複数の補強用金属プレートを介して排出装置１０をユニット本体７ａの装置取付枠部７ｂに固定してもよい。この場合、複数の補強用金属プレートのうちの少なくとも１つ（例えば、左プレート片３９ａと右プレート片３９ｂに対応する１対の補強プレート）を、装置取付枠部７ｂに形成されたプレート支持部（例えば、１対のプレート支持部７ｂ１，７ｂ２）に面接触するように載置状に取付けてもよい。
【００４４】
次に、演出ボタン装置９について説明する。
演出ボタン装置９は、演出ボタン４０を、図３に示す所定の通常操作位置と、通常操作位置よりも下方へ退入した図４に示す押下位置と、通常操作位置よりも上方へ突出した図５に示す突出操作位置とに亙って進退可能に構成されている。また、演出ボタン４０を通常操作位置（図３）及び突出操作位置（図５）を含む任意の位置から押下位置（図４）へ押下操作可能に構成されている。
【００４５】
演出ボタン４０のサイズを一般的な演出ボタンのサイズよりも数倍大型にして、また、演出ボタン４０の進退ストロークを一般的な演出ボタンの進退ストロークよりも数倍長くして、大型化した演出ボタン装置９が構成されている。
【００４６】
尚、演出ボタン４０が、通常操作位置、押下位置、突出操作位置に亙って進退する方向が演出ボタン４０の進退方向であり、演出ボタン４０の進出側を先端側とし、演出ボタン４０の退入側を基端側とする。適宜、演出ボタン４０の進退方向を単に進退方向と記し、演出ボタン４０の進出方向、退入方向を単に進出方向、退入方向と記し、演出ボタン４０（後述のボタンケース５０、軸状部材６８）の軸心（中心）を単に軸心と記す。
【００４７】
図３〜図５、図７に示すように、皿ユニット７のユニット本体７ａに、ボタン孔７ｃの上部外側周壁７ｃ１及び上部内側周壁７ｃ２の上端に連なるリング状膨出部７ｅが形成され、演出ボタン４０がリング状膨出部７ｅよりも少し上方へ突出して通常操作位置になり（図３参照）、演出ボタン４０がリング状膨出部７ｅよりも少し下方へ退入して押下位置になり（図４参照）、演出ボタン４０がリング状膨出部７ｅよりも通常操作位置での突出量の数倍（約７〜１０倍）上方へ突出して突出操作位置になる（図５参照）。
【００４８】
図１２〜図２３に示すように、演出ボタン装置９は、演出ボタン４０と、演出ボタン４０を通常操作位置と押下位置と突出操作位置とに亙って進退可能に収容するボタンケース５０と、演出ボタン４０を進出方向へ付勢する前後１対の付勢部材５５と、演出ボタン４０を通常操作位置と突出操作位置とに亙って自動的に進退させるボタン進退機構６０とを備え、ボタンケース５０が基台５７を介して排出装置１０に載置状に取付けられている。
【００４９】
図１２〜図１５に示すように、基台５７は合成樹脂製の上部基台５８及び下部基台５９を有する。上部基台５８は円筒状の周壁５８ａと上壁５８ｂと下壁５８ｃとを有し、上壁５８ｂは前方下がりに傾斜し、下壁５８ｃに水平下面５８ｃ１と前方下がりに傾斜した傾斜下面５８ｃ２とが形成されている。下部基台５９は上壁５９ａと支持脚５９ｂとを有し、上壁５９ａに水平上面５９ａ１と前方下がりに傾斜した傾斜上面５９ａ２とが形成され、支持脚５９ｂが排出装置１０に載置固定されている。
【００５０】
上部基台５８の水平下面５８ｃ１及び傾斜下面５８ｃ２が、夫々、ゴム製の緩衝シート５８ｄ１，５８ｄ２を介して、下部基台５９の水平上面５９ａ１及び傾斜上面５９ａ２に載置された状態で、上部基台５８が下部基台５９に固定され、上部基台５８の周壁５８ａが鉛直方向から前方へ少し傾斜した姿勢になる。上部基台５８にボタン進退機構６０の主要部が装着されている。
【００５１】
図１２〜図１６に示すように、演出ボタン４０は、合成樹脂製の上壁４１ａ及び周壁４１ｂを有するボタン本体４１と、このボタン本体４１をカバーする合成樹脂製の上壁４２ａ及び周壁４２ｂを有し且つボタン本体４１に対して軸心回りに相対回動自在に設けられた透明なボタンカバー４２と、ボタン本体４１の下端部に取付けられた環状部材４３（図１７〜図２１参照）とを有する。
【００５２】
ボタン本体４１の周壁４１ｂの下端部に形成された外周鍔部４１ｃに、ボタンカバー４２の周壁４２ｂの下端部に形成された外周鍔部４２ｃが上側から係合し、この状態、ボタン本体４１の上壁４１ａとボタンカバー４２の上壁４２ａとが近接（当接）し、ボタン本体４１がボタンカバー４２を支持してボタンカバー４２と一体的に進退される。
【００５３】
図１７〜図２１に示すように、環状部材４３は、ボタン本体４１の下端部の外周鍔部４１ｃに固定された合成樹脂製の固定環状部材４３ａと、この固定環状部材４３ａの下方に配設されて固定環状部材４３ａに対して進退方向へ移動自在に且つ軸心回りに回動不可能に支持された合成樹脂製の可動環状部材４３ｂとを有する。可動環状部材４３ｂは、固定環状部材４３ａに当接した位置と固定環状部材４３ａから退入方向へ微小距離離隔した位置とに亙って移動自在に設けられている。
【００５４】
可動環状部材４３ｂは固定環状部材４３ａから離隔する退入方向へ、１対の付勢部材５５よりも付勢力が強力な左右１対のバネ部材４３ｃにより付勢され、演出ボタン４０が押下位置以外の位置にあるとき、可動環状部材４３ｂは固定環状部材４３ａから退入方向へ離隔した位置にある。
【００５５】
図１２〜図１６に示すように、ボタンケース５０は合成樹脂製の円筒状の周壁５０ａ及び底壁５０ｂを有し、演出ボタン４０はボタンケース５０（周壁５０ａ）から上方へ突出している。底壁５０ｂが上部基台５８の上壁５８ｂに載置固定されて前下り傾斜状に設けられ、周壁５０ｂが鉛直姿勢から前方へ少し傾斜した姿勢になり、上部基台５８の周壁５８ａから略連続するように延びている。
【００５６】
演出ボタン４０はボタンケース５０の周壁５０ａの傾斜方向、即ち鉛直方向から上方ほど前方へ移行する方向へ傾斜した傾斜方向（進出方向）へ進退される。ボタンケース５０の周壁５０ａの上端部が、ユニット本体７ａに形成されたボタン孔７ｃの上部内側周壁７ｃ２に下側から外嵌されて、ボタンケース５０から突出する演出ボタン４０がユニット本体７ａのボタン孔７ｃから出没される。ボタンカバー４２の外周鍔部４２ａが、ボタンケース５０の周壁５０ａの上端部に形成された内周鍔部５０ｃに下側から係合して、ボタンカバー４２が進出方向へ抜止めされる。
【００５７】
ボタンケース５０に、演出ボタン４０の外周部（ボタンカバー４２の周壁４２ｂ）とボタンケース５０の周壁５０ａとの間の液体等の異物を、ボタンケース５０の外部へ排出する複数（３つ）の排出口５１〜５３（開口５１〜５３）が設けられている。
【００５８】
複数の排出口５１〜５３は、ボタンケース５０の周壁５０ａの下端部に周方向に間隔を空けて形成されている。複数の排出口５１〜５３のうちの中間に位置する排出口５１が、ボタンケース５０の周壁５０ａの前端の下端部に形成され、この排出口５１が異物を外部へ排出する主要な開口５１となる。各排出口５１〜５３は矩形状に形成され、各排出口５１〜５３の下端縁がボタンケース５０の底壁５０ｂの上面外周端により形成されている。
【００５９】
例えば、遊技者が飲料水を演出ボタン４０やその周辺に溢す等して、ボタンカバー４２とボタンケース５０の周壁４２ｂ，５０ａ間に侵入した異物となる液体は、それら周壁４２ｂ，５０ａ間を流下して、周壁４２ｂ，５０ａ間から直接、或いは一旦ボタンケース５０の底壁５０ｂに到達した後、複数の排出口５１〜５３の何れかから外部へ排出される。
【００６０】
また、複数の排出口５１〜５３は、演出ボタン４０が進退される際に演出ボタン４０とボタンケース５０とで囲まれた密閉状の空間の複数の呼吸口５１〜５３として兼用される。つまり、演出ボタン４０が進出される際、体積が増大する前記空間に複数の呼吸口５１〜５３から外部の空気が吸入され、演出ボタン４０が退入される際、体積が減少する前記空間の空気が複数の呼吸口５１〜５３から外部に排出される。
【００６１】
図１７〜図２３に示すように、ボタン進退機構６０は、演出ボタン４０の進退を許容し軸心回りの回動を規制するボタンガイド機構６１と、演出ボタン４０を進出方向へ付勢する１対の付勢部材５５と、演出ボタン４０の進退方向へ延びる合成樹脂製の軸状部材６８と、軸状部材６８を回動させる回動駆動機構７０と、回動駆動機構７０により回動される軸状部材６８と連動して演出ボタン４０を進退動作させる進退動作機構７５とを備えている。
【００６２】
ボタンガイド機構６１は、進退方向に延びる前後１対の金属製のガイドロッド６２と、これら１対のガイドロッド６２に夫々摺動自在に外嵌された前後１対の筒状部（図示略）とを有し、これら１対の筒状部が演出ボタン４０の固定環状部材４３ａに一体形成され、このボタンガイド機構６１により演出ボタン４０は姿勢を維持して進退自在に且つ軸心回りに回動不可能にガイドされる。
【００６３】
１対のガイドロッド６２は、それらの基端部が上部基台５８に固定され、上部基台５８から進出方向へ延びてボタンケース５０の底壁５０ｂを貫通し、ボタンケース５０の内側において、演出ボタン４０の可動環状部材４３ｂ及び固定環状部材４３ａを貫通して演出ボタン４０の基端側から内側に挿入され、演出ボタン４０の内側において、１対のガイドロッド６２の上端部に合成樹脂製の円板状の係止板６３が固定されている。
【００６４】
固定環状部材４３ａが可動環状部材４３ｂに当接し、且つ可動環状部材４３ｂがボタンケース５０の底壁５０ｂに当接した状態で、演出ボタン４０が押下位置になり、固定環状部材４３ａが係止板６３に下側から当接し係止された状態で、演出ボタン４０が突出操作位置になる。係止板６３の上面にＬＥＤ基板６４が装着され、このＬＥＤ基板６４の上面に複数のＬＥＤ６５が実装されている。
【００６５】
ボタン本体４１（上壁４１ａ及び周壁４１ｂ）は光を透過可能なレンズ部に形成され、ＬＥＤ６５が発光すると、その光がボタン本体４１（レンズ部）を外部へ透過して、ボタン本体４１が電飾される。尚、複数のＬＥＤ６５を発光させる為の複数の導電線が、上部基台５８側から上方へ延びてＬＥＤ基板６４に接続され、これら複数の導電性を収容案内する角筒状の配線収容部材６６が、上部基台５８と係止板６３とを接続するように進退方向に延び且つ演出ボタン４０の固定環状部材４３ａ及び可動環状部材４３ｂを貫通した状態で配設されている。
【００６６】
ここで、ボタンカバー４２が、ボタン本体４１に対して相対回動自在に設けられているため、遊技者がボタンカバー４２を回動させても、ボタンカバー４２が空回りするだけで、ボタン本体４１にそれを回動させる外部負荷は作用しないため、外部負荷によりボタン本体４２やボタンガイド機構６１が損傷するのが確実に防止される。
【００６７】
また、ボタンカバー４２の上壁４２ａと周壁４２ｂとの境界部分に、断面円弧状の湾曲部４２ｄが形成され、図３に示すように、その湾曲部４２ｄは、演出ボタン４０が通常操作位置にあるとき、ボタンカバー４２の周壁部４２ｂをユニット本体７ａ（リング状膨出部７ｅ）よりも上方へ露出させない湾曲形状に形成されている。故に、演出ボタン４０が通常操作位置にあるとき、遊技者がボタンカバー４２の上部外周部（湾曲部４２ｄ）を掴んで持上げるのが難しくなるため、ボタンカバー４２と共に、ボタン本体４１やボタンガイド機構６１が損傷するのが一層確実に防止される。
【００６８】
１対の付勢部材５５は１対のコイルバネ５５からなり、これら１対のコイルバネ５５が、夫々、ボタンケース５０の内側において、１対のガイドロッド６２に外装され、圧縮状態で、演出ボタン４０の可動環状部材４３ｂと上部基台５８の上壁５８ｂ（或いは、ボタンケース５０の底壁５０ｂ）との間に装着されている。
【００６９】
軸状部材６８はその軸心が演出ボタン４０の軸心と一致するように配設されている。軸状部材６８は、その基端部が上部基台５８に回動自在に支持され、上部基台５８から進出方向へ延びてボタンケース５０の底壁５０ｂを貫通し、ボタンケース５０の内側において、演出ボタン４０の可動環状部材４３ｂ及び固定環状部材４３ａを貫通して演出ボタン４０の基端側から内側に挿入される。つまり、演出ボタン４０に軸状部材６８の外周外側に位置するように環状部材４３が設けられている。
【００７０】
回動駆動機構７０は、電動モータ７１、駆動ギヤ７２、中間２段ギヤ７３、従動ギヤ７４を備えている。電動モータ７１は上部基台５８に進出方向に向けて取付けられ、その出力軸７１ａに駆動ギヤ７２が取付けられている。駆動ギヤ７２、中間２段ギヤ７３、従動ギヤ７４は互いに噛合し、中間２段ギヤ７３は上部基台５８に回転自在に支持され、従動ギヤ７４は軸状部材６８の基端部に固定的に設けられている。
【００７１】
進退動作機構７５は、演出ボタン４０と一体的に進退する左右１対の係合部７６と、軸状部材６８の外周部に設けられた１対の螺旋状ガイド部７７であって、演出ボタン４０が付勢部材５５により進出方向へ付勢された状態で１対の係合部７６が夫々基端側から係合し、回動駆動機構７０により軸状部材６８が回動されることで１対の係合部７６を進退方向へ移動させる１対の螺旋状ガイド部７７とを備えている。これら１対の係合部７６及び螺旋ガイド部７７は軸心対称の構造になっている。
【００７２】
各係合部７６はピン部材７６からなり、このピン部材７６が可動環状部材４３ｂに取付けられて、可動環状部材４３ｂの内周部から軸状部材６８の方（軸心方向）へ軸心直交方向に突出して螺旋状ガイド部７７に係合可能に設けられている（図２３参照）。
【００７３】
図２２に示すように、各螺旋ガイド部７７は、傾斜角度が所定角度（約４５度）の第１螺旋ガイド部７７ａと、この第１螺旋ガイド部７７ａの先端部に基端部が繋がり且つ第１螺旋ガイド部７７ａよりも傾斜角度が大きな（傾斜角度が約６０度の）第２螺旋ガイド部７７ｂとを有する。軸状部材６８の軸心と平行方向における第２螺旋ガイド部７７ｂの形成領域は第１螺旋ガイド部７７ａの形成領域と略同じか少し大きい。
【００７４】
軸状部材６８の外周部に、１対の螺旋状ガイド部７７（第１螺旋ガイド部７７ａ）の基端部に夫々繋がり且つ軸状部材６８の軸心と直交する面と平行に延びる１対の平滑ガイド部７８が形成され、これら１対の平滑ガイド部７８に１対の係合部７６が夫々基端側から係合して演出ボタン４０が通常操作位置に保持される。これら１対の平滑ガイド部７８も軸心対称の構造になっている。
【００７５】
ここで、軸状部材６８の外周部に、１対の凸部６８ａが軸心対象に形成され、１対の凸部６８ａの間に１対の凹部６８ｂが軸心対象に形成されている。１対の凸部６８ａの外端面は、軸心を中心とする円筒面の一部を形成し、１対の凹部６８ｂの奥端面は、凸部６８ａの外端面よりも小径の軸心を中心とする円筒面の一部を形成している。
【００７６】
各凸部６８ａは逆台形状に形成され、各凸部６８ａの周方向一端縁（凹部６８ｂとの境界部分）に螺旋状ガイド部７７（第１，第２螺旋ガイド部７７ａ，７７ｂ）が段状に形成され、各凸部６８ａの基端縁に平滑ガイド部７８が段状に形成され、各凸部６８ａの周方向他端縁（凹部６８ｂとの境界部分）に軸状部材６８の軸心方向と平行方向へ延びるストレート段部６８ｃが段状に形成されている。
【００７７】
演出ボタン４０が通常装置位置と突出装置位置の間の位置にあるとき、及び突出装置位置にあるときに、演出ボタン４０に設けられた各係合部７６は、凹部６８ｂ内に位置し、つまり、凸部６８ａの螺旋状ガイド部７７ともう一方の凸部６８ａのストレート段部６８ｃとの間に位置して、螺旋状ガイド部７７に係合可能になる。
【００７８】
さて、演出ボタン４０が押下操作されていないとき、演出ボタン４０の１対の係合部７６が軸状部材６８の１対の平滑ガイド部７８に係合して、演出ボタン４０が通常操作位置に保持される。この状態から、１対の係合部７６を１対の平滑ガイド部７８から退入方向へ離隔移動させ得るため、演出ボタン４０を押下位置へ押下操作することができ、その後、演出ボタン４０が操作解除されると、再度、通常操作位置に復帰しそこで保持される。
【００７９】
また、演出ボタン４０が押下操作されていないとき、前記同様、演出ボタン４０が通常操作位置に保持された状態から、軸状部材６８が図２２の矢印Ｉ方向へ回動されると、演出ボタン４０の１対の係合部７６が軸状部材６８の１対平滑ガイド部７８から係合解除して１対の螺旋状ガイド部７７（第１螺旋ガイド部７７ａ）に移行して係合し、演出ボタン４０が通常操作位置から進出し始める。
【００８０】
演出ボタン４０の１対の係合部７６が軸状部材６８の１対の螺旋状ガイド部７７に係合した状態で、軸状部材６８が回動されることで１対の係合部７６が進退方向へ移動され、つまり演出ボタン４０が進退される。軸状部材６８が図２２の矢印Ｉ方向へ回動され、最終的に、演出ボタン４０が進出して、演出ボタン４０の固定環状部材４３ａが１対のガイドロッド６２の先端部に固定された係止板６３に係止されて、演出ボタン４０が突出操作位置に保持される。
【００８１】
ここで、軸状部材６８の回動速度が一定の場合、係合部７６が第１螺旋ガイド部７７ａに係合している場合と、係合部７６が第２螺旋ガイド部７７ｂに係合している場合とを比べると、演出ボタン４０の進退速度は前者の方が遅くなる。即ち、演出ボタン４０を進退させる駆動負荷は前記前者の方が小さくなる。
【００８２】
演出ボタン４０が通常操作位置と突出操作位置との間の任意の位置にある状態から、１対の凹部６８ｂによって、１対の係合部７６を１対の螺旋状ガイド部７７から１対の凸部６８ａと衝突させずに退入方向へ離隔移動させ得るため、演出ボタン４０を押下位置へ押下操作することができ、また、演出ボタン４０が突出操作位置に保持された状態からも同様に、演出ボタン４０を押下位置へ押下操作することができる。
【００８３】
その後、演出ボタン４０が操作解除されると操作開始位置に復帰し、その際、演出ボタン４０が進退（軸状部材６８が回動）しているときには、操作開始時の位置の近傍位置に復帰する。但し、演出ボタン４０を押下位置へ押下操作したとき、１対の係合部７６の進出側に１対の平滑ガイド部７８が位置するように、軸状部材６８を回動（この場合、演出ボタン４０を突出操作位置から押下位置へ押下操作したときには図２２の矢印Ｉ方向へ少しだけ回動）させることで、演出ボタン４０が操作解除されると、１対の係合部７６が１対の平滑ガイド部７８に係合して、演出ボタン４０が通常操作位置に復帰する。
【００８４】
一方、演出ボタン４０が押下操作されていないとき、前記同様、演出ボタン４０が通常操作位置に保持された状態から、軸状部材６８が図２２の矢印II方向に回動されると、演出ボタン４０の１対の係合部７６が軸状部材６８の１対の平滑ガイド部７８から係合解除して、１対のストレート段部６８ｃに沿って進出方向へ移動し、つまり演出ボタン４０が一気に突出操作位置に移動する。
【００８５】
以上説明したように、演出ボタン４０が通常操作位置に保持された状態から、軸状部材６８を図２２の矢印Ｉ方向に回動させることで、１対の係合部７６を１対の螺旋状ガイド部７７に係合させて、演出ボタン４０を突出操作位置へ軸状部材６８の回転速度に応じた速度で（例えば、ゆっくりと）進出させることができ、逆に、演出ボタン４０が通常操作位置に保持された状態から、軸状部材６８を図２２の矢印II方向に回動させることで、１対の係合部７６を１対の凹部６８ｂによって１対の凸部６８ａに干渉させずに、即ち、１対の係合部７６を１対の螺旋状ガイド部７７に係合させずに、演出ボタン４０を突出操作位置へ高速で進出させることができる。つまり、ボタン進退機構６０は、演出ボタン４０を通常操作位置から突出操作位置へ進出させる際、回動駆動機構７０により軸状部材６８を回動させる方向によって演出ボタン４０の進出速度が異なるように構成されている。
【００８６】
次に、排出装置１０について説明する。
図６、図１２、図１３、図２４〜図２６に示すように、排出装置１０は、合成樹脂製のケース部材８０と、ケース部材８０に形成された排出通路８１と、排出通路８１を開閉可能な合成樹脂製の開閉板８２と、開閉板８２を開閉させる開閉機構８３と、開閉板８２が排出通路８１を開けた開位置に開閉板８２を保持解除可能に保持する開保持機構８４と、開閉板８２が排出通路８１を閉じた閉位置で直接触られて開操作されないように閉位置に開閉板８２をロック解除可能にロックする閉ロック機構８５とを備えている。
【００８７】
ケース部材８０は平面視矩形状に形成されて上下厚さが多少あり、その内部に開閉機構８３が収容状に装着されている。このケース部材８０が、皿ユニット７のユニット本体７ａに形成された装置収容孔７ｄの下端部分に下方から収納され、ケース部材８０の外周近傍部が、ユニット本体７ａに取付けられた補強用金属プレート３９に複数の前記ボルト（図示略）により取付けられている。ケース部材８０の上面部に台座８０ａが形成され、この台座８０ａに下部基台５９の支持脚５９ｂが載置固定されている。
【００８８】
排出通路８１はケース部材８０の左前部に形成され、この排出通路８１の上流端に、左方へ下皿８ｂの内部に臨むように開口する球導入口８１ａが形成され、排出通路８１の下流端に、球導入口８１ａの右方近傍において下方へ外部に臨むように開口する球排出口８１ｂが形成されている。開閉板８２は、球排出口８１ｂを開閉可能にケース部材８０に左右方向へスライド自在に支持されている。
【００８９】
開閉機構８３は、ケース部材８０に前後方向へ移動自在に且つ図２４に示す前進保持位置に係止可能に支持された操作部材９０と、ケース部材８０に鉛直軸心回りに回動自在に支持されたアーム部材９１と、開閉板８２にその右側に一体的に形成された被操作部材９２と、操作部材９０を前方へ付勢する第１バネ９３と、開閉板８２（被操作部材９２）を左方（閉位置）へ付勢する第２バネ９４とを備えている。尚、操作部材９０、アーム部材９１、被操作部材９２は、何れも合成樹脂製である。
【００９０】
操作部材９０はアーム部材９１及び被操作部材９２（開閉板８２）の上側に配置され、操作部材９０の前端部分に遊技者が操作可能にケース部材８０から前方へ突出する操作部９０ａが設けられている。アーム部材９１は平面視ヘ字状に形成され、アーム部材９１の後端部がケース部材８０に回動自在に支持されている。
【００９１】
操作部材９０の後端部に下方突出状に設けられた第１係合ピン９０ｂが、アーム部材９１の後側部分にその長さ方向に細長く形成された第１長孔９１ａに移動自在に係合している。アーム部材９１の前端部に下方突出状に設けられた第２係合ピン９１ｂが、被操作部材９２に前後方向に細長く形成された第２長孔９２ａに移動自在に係合している。このように、操作部材９０、アーム部材９１、被操作部材９２が連動連結されている。
【００９２】
操作部材９０が前進保持位置から後方へ押し操作されると、その操作力により、アーム部材９１が平面視にて反時計回り方向へ回動されて、開閉板８２が被操作部材９２と共に右方（開位置）へスライドされる。その後、操作部材９０が操作解除されると、開保持機構８４により開閉板８２が開位置に保持されていない状態で前進保持位置に復帰すると共に、第２バネ９４により、開閉板８２が被操作部材９２と共に左方（閉位置）へスライドされて、アーム部材９１が平面視にて時計回り方向へ回動される。
【００９３】
開保持機構８４は、操作部材９０に後方突出状に設けられた被把持部９０ｃと、この被把持部９０ｃを把持可能にケース部材８０に取付けられた把持機構部９６とを有する。操作部材９０が後退限界位置まで押し操作されると、把持機構部９６は被把持部９０ｃにより非作動状態から作動状態に切換えられ、次に、操作部材９０が操作解除されると、作動状態の把持機構部９６により被把持部９０ｃが把持されるため、操作部材９０が後退限界位置の少し前方の操作保持位置に保持され、開閉板８２が開位置に保持される。
【００９４】
その後、操作部材９０が操作保持位置から再度後退限界位置まで押し操作されると、把持機構部９６は被把持部９０ｃにより作動状態から非作動状態に切換えられ、次に、操作部材９０が操作解除されると、操作部材９０が前進保持位置まで前進し、故に、開閉板８２が閉じられ閉位置になる。
【００９５】
閉ロック機構８５は、被操作部材９２に上方突出状に設けられた第１係合片９７と、操作部材９０に下方突出状に設けられた第２係合片９８と、アーム部材９１の第１長孔９１ａに切欠き状に設けられたピン逃し凹部９９とを有する（図２６参照）。
【００９６】
操作部材９０が前進保持位置にあり、開閉板８２が閉位置にあるとき、第１係合片９７が第２係合片９８の左側に第２係合片９８と接近対向する位置にあるため、遊技者が手で下皿８から遊技球を掴み出す場合にその手が開閉板８２に触わった場合等、開閉板８２に開方向の力が作用しても、第１係合片９７が第２係合片９８に係合し、その際、操作部材９０に後方の力も作用しないため、開閉板８２は閉位置にロックされる。
【００９７】
一方、操作部材９０が前進保持位置にあり、開閉板８２が閉位置にあるときから、操作部材９０を後方へ押し操作すると、操作部材９０が後方へ少し移動する間、操作部材９０の第１係合ピン９０ｂがアーム部材９１のピン逃し凹部９９へ入込むことで、操作部材９０からアーム部材９１に動力が伝達されないため、アーム部材９１は回動されず、開閉板８２は右方へスライドされず閉位置に維持される。
【００９８】
そして、この間に、操作部材９０の第２係合片９８が被操作部材９２の第１係合片９７の右側から後方へ退き、故に、その後、続けて操作部材９０を後方へ押し操作すると、操作部材９０からアーム部材９１に動力が伝達されて、アーム部材９１は回動され、第１係合片９７が第２係合片９８に係合することなく、開閉板８２が右方へスライドされる。尚、開閉板８２が開位置から閉位置へ左方へスライドされる際、開閉板８２が開位置に到達した後に、操作部材９０が前進保持位置に到達し、故に、第２係止片９８は第１係止片９７に衝突することなく第１係止片の右側へ移動してくる。
【００９９】
以上説明したパチンコ遊技機１によれば次の効果を奏する。
皿ユニット７に、遊技者が押下操作可能な演出ボタン４０を有する演出ボタン装置９と、この演出ボタン装置９の下方に配設され下皿８ｂに貯留された遊技球を外部へ排出する排出装置１０とが装備され、演出ボタン装置９は、演出ボタン４０を皿ユニット７の上面側から押下操作可能に配設されて、排出装置１０に載置支持されている。
【０１００】
皿ユニット７において、ユニット本体７ａに排出装置１０を取付け、その排出装置１０に演出ボタン装置９を載置支持することで、演出ボタン４０が押下操作された際の荷重（衝撃荷重）を演出ボタン装置９から排出装置１０を介してユニット本体７ａで受止めることができる。ユニット本体７ａに演出ボタン装置９を独立に強固に取付ける構造を省略し、演出ボタン装置９及び排出装置１０の取付構造を全体的に簡単化することができる。
【０１０１】
演出ボタン装置９は、演出ボタン４０を大型にして演出ボタン４０の進退ストロークを長くして大型化したものである。従って、この演出ボタン装置９がその下方に位置する排出装置１０に接近するように配設され、これを利用して、演出ボタン装置９を排出装置１０に載置支持することができる。つまり、この演出ボタン装置９と排出装置１０の配置並びに取付け構造が、演出ボタン装置９を大型化する場合に適したものになる
【０１０２】
排出装置１０は、皿ユニット７のユニット本体７ａの下部に補強用金属プレート３９を介して固定されている。従って、この排出装置１０の取付構造の強度を高めることができる。しかも、補強用金属プレート３９のプレート片３９ａ，３９ｂが、ユニット本体７ａの下部に形成されたプレート支持部７ｂ１，７ｂ２に面接触状に載置状に取付けられ、この補強用金属プレート３９に排出装置１０が取付けられている。従って、出ボタン４０が押下操作された際の荷重を、補強用金属プレート３９から分散させてユニット本体７ａに作用させることができる。
【０１０３】
特に、この演出ボタン装置９では、演出ボタン４０は大型であるため、演出ボタン４０が操作された際の衝撃荷重は大きく、しかも、演出ボタン４０が突出操作位置から押下位置へ操作された際の操作ストロークは長いため、その際の衝撃荷重は一層大きくなる虞があるが、排出装置１０の前記取付構造により、その取付構造やユニット本体７ａが損傷するのを確実に防止することができる。
【０１０４】
演出ボタン装置９と排出装置１０とを組付けて一体化してから、これら演出ボタン装置９及び排出装置１０を皿ユニット７のユニット本体７ａの装置取付孔７ｄに下側から挿入し、排出装置１０をユニット本体７ａに取付けることで、演出ボタン装置９及び排出装置１０を皿ユニット７に容易に組付けることができる。つまり、演出ボタン装置９及び排出装置１０の組付け負荷を軽減することができる。
【０１０５】
演出ボタン装置９は、演出ボタン４０を進退可能に収容する周壁５０ａと底壁５０ｂとを有するボタンケース５０を備え、演出ボタン４０の外周部とボタンケース５０の周壁５０ａとの間の異物を、ボタンケース５０の外部へ排出する複数（３つ）排出口５１〜５３がボタンケース５０に設けられている。
【０１０６】
従って、ボタンケース５０に演出ボタン４０を進退可能に収容して演出ボタン４０を保護するとともに、遊技者が飲料水を演出ボタン４０やその周辺に溢す等して、演出ボタン４０の外周部とボタンケース５０の周壁５０ａとの間に液体等の異物が侵入した場合、その異物をボタンケース５０の複数の排出口５１〜５３の何れかから外部へ排出して、その異物が演出ボタン４０の正常な進退動作を阻害するのを確実に抑制することができる。
【０１０７】
複数の排出口５１〜５３は、演出ボタン４０が進退される際に演出ボタン４０とボタンケース５０とで囲まれた空間の呼吸口として兼用される。従って、複数の排出口５１〜５３は、前記のように、演出ボタン４０の外周部とボタンケース５０の周壁５０ａとの間の異物をボタンケース５０の外部へ排出する効果を奏すると共に、前記空間の呼吸口となって演出ボタン４０を円滑に進退させることができ、特に、演出ボタン４０の進退ストロークが長いことから、演出ボタン４０を円滑に進退させる上で絶大な効果を奏する。
【０１０８】
ボタンケース５０の底壁５０ｂが前方下がり傾斜状に設けられ、複数の排出口５１〜５３がボタンケース５０の周壁５０ａの下端部に形成され、中央の排出口５１がボタンケース５０の周壁５０ａの前端の下端部に形成されている。従って、ボタンカバー４２とボタンケース５０の周壁４２ｂ，５０ａ間に侵入した異物となる液体が、それら周壁４２ｂ，５０ａ間を流下して、周壁４２ｂ，５０ａ間から直接、或いは一旦ボタンケース５０の底壁５０ｂに到達した後、複数の排出口５１〜５３の何れかから外部へ確実に排出される。
【０１０９】
複数の排出口５１〜５３は、ボタンケース５０の周壁５０ａの下端部に周方向に間隔を空けて形成されている。従って、ボタンケース５０の周壁５０ａと底壁５０ｂとの結合（繋がり）を確実に維持して、つまりボタンケース５０を確実に構成して、そのボタンケース５０に複数の排出口５１〜５３を設けることができる。
【０１１０】
ボタン進退機構６０は、演出ボタン４０の進退を許容し且つ回動を規制するボタンガイド機構６１、演出ボタン４０を進出方向へ付勢する１対の付勢部材５５、演出ボタン４０の進退方向へ延びる軸状部材６８、軸状部材６８を回動させる回動駆動機構７０、演出ボタン４０に設けられた１対の係合部７６、軸状部材６８の外周部に設けられた１対の螺旋状ガイド部７７であって、演出ボタン４０が１対の付勢部材５５により付勢された状態で１対の係合部７６が夫々係合し、回動駆動機構７０により軸状部材６８が回動されることで１対の係合部７６を進退方向へ移動させる螺旋状ガイド部７７を備えた。
【０１１１】
従って、回動駆動機構７０により軸状部材６８を回動させることにより、演出ボタン４０を円滑に進退させることができ、演出ボタン４０の所望の進退動作（任意の位置で一時停止したり進退を繰返したりする動作等）を実現することができ、演出ボタン４０の進退速度を自由に変更することができ、依って、演出ボタン４０の進退動作により遊技の演出効果を高めることができ、特に、演出ボタン４０を大型にして演出ボタン４０の進退ストロークを長くて演出ボタン装置９を大型化する場合に適したものになる。
【０１１２】
ボタン進退機構６０は、演出ボタン４０を所定の通常操作位置とこの通常操作位置よりも外部へ突出した突出操作位置とに亙って進退させ、演出ボタン４０を通常操作位置及び突出操作位置を含む任意の位置から、通常操作位置よりも退入した押下位置へ押下操作可能に構成されている。
【０１１３】
つまり、演出ボタン４０が通常操作位置又は突出装置位置に保持されているときでも、ボタン進退機構６０により進退されているときでも、即ち遊技者が演出ボタン４０を押下操作する操作タイミングに関わらず、ボタン進退機構６０が演出ボタン４０の押下位置への押下操作を阻害しないように構成することができる。従って、演出ボタン４０の操作自由度を最大限確保して操作性を向上することができる。
【０１１４】
軸状部材６８が演出ボタン４０の基端側から内側に挿入されるように配設されている。依って、軸状部材６８を外部へ露出させずに配設することができる。また、演出ボタン４０に軸状部材６８の外周外側に位置するように可動環状部材４３ｂが設けられ、１対の係合部７６が可動環状部材４３ｂにその内周部から軸状部材６８の方へ突出して１対の螺旋状ガイド部７７に係合可能に設けられている。依って、１対の係合部７６を１対の螺旋状ガイド部７７に確実に係合させて、演出ボタン４０を安定して進退させることができる。
【０１１５】
１対の螺旋状ガイド部７７は、夫々、第１螺旋ガイド部７７ａと、この第１螺旋ガイド部７７ａの先端部に繋がり且つ第１螺旋ガイド部７７ａよりも傾斜角度が大きな第２螺旋ガイド部７７ｂとを有する。従って、軸状部材６８の回動速度が一定の場合、１対の係合部７６が１対の第１螺旋ガイド部７７ａに係合している場合と、１対の係合部７６が１対の第２螺旋ガイド部７７ｂに係合している場合とを比べると、演出ボタン４０の進退速度は前者の方が遅くなり、即ち、演出ボタン４０を進退させる駆動負荷は前記前者の方が小さくなる。
【０１１６】
そして、演出ボタン４０を進退させる駆動負荷が小さくなる状態、つまり、１対の係合部７６が１対の第１螺旋ガイド部７７ａに係合している状態で、回動駆動機構７０により軸状部材６８を往復回動させることにより、演出ボタン４０の進退を繰返す動作を円滑に実現させることができる。この演出ボタン４０の往復進退動作を、演出ボタン４０を通常操作位置から少し進出させてから行うことで、演出ボタン４０が突出操作位置へ進出するのか否か煽る演出を実行することができる。
【０１１７】
軸状部材６８の外周部に、１対の螺旋状ガイド部７７の基端部に繋がり且つ軸状部材６８の軸心と直交する面と平行に延びる１対の平滑ガイド部７８が形成され、これら１対の平滑ガイド部７８に１対の係合部７６が係合して演出ボタン４０が通常操作位置に保持される。従って、演出ボタン４０を通常操作位置に確実に保持することができる。また、ボタン進退機構６０により演出ボタン４０を退入させる際、１対の係合部７６を１対の平滑ガイド部７８から１対の平滑ガイド部７８に円滑に移行させ、演出ボタン４０を通常操作位置に確実に円滑に退入させることができる。
【０１１８】
係合部７６及び螺旋状ガイド部７７を１対備えたので、ボタン進退機構６０により演出ボタン４０をガタつかせずに安定して進退させることができる。尚、係合部７６及び螺旋状ガイド部７７を１組だけ備えてもよいし、３対以上の複数対備えてもよい。
【０１１９】
その他、本発明の趣旨を逸脱しない範囲において、前記開示事項以外の種々の構成を付加して実施可能である。本発明の演出ボタン装置、排出装置、又はそれらを装備した皿ユニットについては、種々のパチンコ遊技機に適用可能であり、更に、演出ボタン装置については、パチンコ遊技機以外のスロットマシン等の種々の遊技機に適用可能である。
【符号の説明】
【０１２０】
１  パチンコ遊技機
２  外枠
３  開閉枠
４  開閉扉
５  遊技盤
７  皿ユニット
７ｂ１，７ｂ２  プレート支持部
８  貯留皿
８ｂ  下皿
９  演出ボタン装置
１０  排出装置
３９  補強用金属プレート
４０  演出ボタン
４３ｂ  可動環状部材
５０  ボタンケース
５０ａ  周壁
５０ｂ  底壁
５１〜５３  排出口
５５  付勢部材
６０  ボタン進退機構
６１  ボタンガイド機構
６８  軸状部材
７０  回動駆動機構
７６  係合部
７７  螺旋状ガイド部
７７ａ  第１螺旋ガイド部
７７ｂ  第２螺旋ガイド部
７８  平滑ガイド部
【図１】
2015037450.tif 000003
【図２】
2015037450.tif 000004
【図３】
2015037450.tif 000005
【図４】
2015037450.tif 000006
【図５】
2015037450.tif 000007
【図６】
2015037450.tif 000008
【図７】
2015037450.tif 000009
【図８】
2015037450.tif 000010
【図９】
2015037450.tif 000011
【図１０】
2015037450.tif 000012
【図１１】
2015037450.tif 000013
【図１２】
2015037450.tif 000014
【図１３】
2015037450.tif 000015
【図１４】
2015037450.tif 000016
【図１５】
2015037450.tif 000017
【図１６】
2015037450.tif 000018
【図１７】
2015037450.tif 000019
【図１８】
2015037450.tif 000020
【図１９】
2015037450.tif 000021
【図２０】
2015037450.tif 000022
【図２１】
2015037450.tif 000023
【図２２】
2015037450.tif 000024
【図２３】
2015037450.tif 000025
【図２４】
2015037450.tif 000026
【図２５】
2015037450.tif 000027
【図２６】
2015037450.tif 000028